(57)【要約】      （修正有）【課題】メンテナンス性の向上と雨水の浸入を抑制する外部端末装置を提供する。【解決手段】屋外に設置され、セキュリティシステムに用いられる外部端末装置は、構造物の取付面５０に固定される取付部材１０と、取付部材に取り付けられる本体２０であって、機能部品を内蔵する本体と、取付部材と本体との間に介装されるパッキン２４と、を備える。本体と取付部材の一方は、少なくとも鉛直上方においてパッキンを収納する凹部２３を有し、本体と取付部材の他方は、本体を取付部材に取り付けた時の凹部に対応する位置に、パッキンを押圧する凸部１１を有する。さらに、一方の部材は、凸部が進入するときのクリアランスを規定する規制部材２５を有し、他方の部材は、凸部が前記パッキンを押圧した状態で、規制部材と係合して本体と取付部材とを係合する係合部材１２を有する。【選択図】図４
2019134004.tif 000002
【特許請求の範囲】
【請求項１】
屋外に設置され、セキュリティシステムに用いられる外部端末装置であって、
構造物の取付面に固定される取付部材と、
前記取付部材に取り付けられる本体であって、機能部品を内蔵する本体と、
前記取付部材と前記本体との間に介装されるパッキンと、
を備え、
前記本体と前記取付部材の一方の部材は、少なくとも鉛直上方において前記パッキンを収納する凹部を有し、
前記本体と前記取付部材の他方の部材は、前記本体を前記取付部材に取り付けた時の前記凹部に対応する位置に、前記パッキンを押圧する凸部を有し、
さらに、
前記一方の部材は、前記凸部が進入するときのクリアランスを規定する規制部材を有し、
前記他方の部材は、前記凸部が前記パッキンを押圧した状態で、前記規制部材と係合して前記本体と前記取付部材とを係合する係合部材を有する、
外部端末装置。
【請求項２】
請求項１に記載の外部端末装置であって、
前記係合部材は、前記凸部から前記規制部材に向けて突き出る構造を備える、
外部端末装置。
【請求項３】
請求項１または２に記載の外部端末装置であって、
前記凹部は、前記本体に設けられ、
前記凸部は、前記取付部材に設けられている、外部端末装置。
【請求項４】
請求項３に記載の外部端末装置であって、
前記取付部材は、前記本体が前記取付部材に取り付けられたときに、前記本体の外周面の外側を覆うヒサシ部を有する、
外部端末装置。
【請求項５】
請求項１から４のいずれか一項に記載の外部端末装置であって、
前記凹部と前記凸部は、前記本体と前記取付部材の鉛直下方を除いた側面に沿って設けられ、
前記本体と前記取付部材とは、鉛直下方において、固定される、外部端末装置。
【発明の詳細な説明】
【技術分野】
【０００１】
本発明は、外部の壁などの取付面に取り付けられる外部端末装置に関する。
【背景技術】
【０００２】
外部の壁などの取付面に設置されるセキュリティ用端末装置（外部端末装置）が知られている（例えば特許文献１）。
【先行技術文献】
【特許文献】
【０００３】
【特許文献１】特開２０１６−１２６３９６号公報
【発明の概要】
【発明が解決しようとする課題】
【０００４】
セキュリティ用端末装置は、メンテナンス性を向上させるために、壁に取付部材を固定し、本体を取付部材に取り付けることで、本体を壁から容易に取り外しが可能なように構成される場合ある。かかる場合、取付部材と本体の隙間から雨水が浸入する可能性がある。したがって、メンテナンス性がよく、さらに、取付部材と本体の隙間から雨水が浸入しにくい構造が求められていた。
【課題を解決するための手段】
【０００５】
本発明は、上述の課題の一部を解決するためになされたものであり、以下の形態として実現することが可能である。
【０００６】
（１）本発明の一形態によれば、屋外に設置され、セキュリティシステムに用いられる外部端末装置が提供される。この外部端末装置は、屋外に設置され、セキュリティシステムに用いられる外部端末装置であって、構造物の取付面に固定される取付部材と、前記取付部材に取り付けられる本体であって、機能部品を内蔵する本体と、前記取付部材と前記本体との間に介装されるパッキンと、を備え、前記本体と前記取付部材の一方は、少なくとも鉛直上方において前記パッキンを収納する凹部を有し、前記本体と前記取付部材の他方は、前記本体を前記取付部材に取り付けた時の前記凹部に対応する位置に、前記パッキンを押圧する凸部を有し、前記取付部材は、前記凸部が進入するときのクリアランスを規定する規制部材を有し、さらに、前記凸部が前記パッキンを押圧した状態で、前記規制部材と係合して前記本体と前記取付部材とを係合する係合部材と、を備える。この形態によれば、凸部のパッキンへの押圧により、水の浸入を抑制するシール構造を実現できる。また、規制部材と係合部材との係合により、凸部のパッキンへの押圧を維持し、シールを維持できる。また、規制部材と係合部材との係合を外し、取付部材から本体を容易に取り外せるので、メンテナンス性を向上できる。
【０００７】
（２）上記形態において、前記係合部材は、前記凸部から前記規制部材に向けて突き出る構造を備えてもよい。この形態によれば、係合構造を簡単に構成できる。
【０００８】
（３）上記形態において前記凹部は、前記本体に設けられ、前記凸部は、前記取付部材に設けられていてもよい。この形態によれば、凹部の開口は、取付面の方を向いているので、凹部への水の浸入をしにくくできる。
【０００９】
（４）上記形態において、前記取付部材は、前記本体が前記取付部材に取り付けられたときに、前記本体の外周面の外側を覆うヒサシ部を有してもよい。この形態によれば、ヒサシ部が、本体を取り付けるときのガイドとなるため、本体と取付部材との位置決めが容易となり、取り付けやすさを向上できる。またヒサシ部が本体の外周面の外側を覆っているので、水の侵入をさらに抑制できる。
【００１０】
（５）上記形態において、前記凹部と前記凸部は、前記本体と前記取付部材の鉛直下方を除いた側面に沿って設けられ、前記本体と前記取付部材とは、鉛直下方において、固定されてもよい。雨水は上から下に侵入する。この形態では、外部端末装置の上方をシールし、下方から固定するので、雨水を侵入しにくくできる。
【００１１】
なお、本発明は、種々の形態で実現することが可能であり、例えば、外部端末装置の他、入退出管理用外部端末装置、認証装置、外部端末装置の雨水侵入抑制構造等の形態で実現することができる。
【図面の簡単な説明】
【００１２】
【図１】構造物の取付面に取り付けられ、セキュリティシステムに用いられる外部端末装置を示す説明図である。
【図２】本体と、取付部材とに分離した外部端末装置を示す分解断面を模式的に示した図である。
【図３】本体が取付部材に取り付けられたときの外部端末装置の断面図である。
【図４】本体と取付部材の係合構造を示す説明図である。
【図５】本体の取付部材への取り付けを示す説明図である。
【図６】他の実施形態における本体と取付部材の係合構造を示す説明図である。
【図７】他の実施形態における本体と取付部材の係合構造を示す説明図である。
【発明を実施するための形態】
【００１３】
・実施形態：
図１は、構造物の取付面５０に取り付けられ、セキュリティシステムに用いられる外部端末装置１００を示す説明図である。外部端末装置１００は、セキュリティシステムにおける認証用の端末装置である。外部端末装置１００は、本体２０と、取付部材１０と、を備える。取付部材１０は、額縁形状を有する部材であり、額縁の内側に本体２０を挿入、配置することで、外部端末装置１００を取付面５０に取り付ける。取付面５０は、外部端末装置１００が取り付け可能な面であり、例えば、屋外の壁や柱の側面である。取付部材１０は、取付部材１０と取付面５０との境界には、シーリング４０（「コーキング４０」とも呼ぶ。）が設置されている。シーリング４０は、取付部材１０と取付面５０との隙間に水が浸入しないように、シールする。
【００１４】
図２は、外部端末装置１００の本体２０と取付部材１０とを取付面５０から分離した状態を示す模式図である。取付面５０には、凹部５２が形成されている。凹部５２の中に、箱形部材６０が配置されている。例えば、箱形部材６０として、規格品であるＪＩＳボックスが用いられる。箱形部材６０は、取付面５０の表面側が開口している。凹部５２の取付面５０の表面側には、箱形部材６０を覆うように、平板部材７０が配置されている。平板部材７０も、ほぼ中央が開口している。取付面５０は、凹部５２の開口において、開口の周囲にフランジ５５を有している。なお、一般に外壁には、外装材が張り付けられる。従って、外壁に穴を形成し、穴に対応する位置に外装材の開口を開け、この開口の大きさを外壁の穴よりも小さく形成すれば、フランジ５５を容易に形成できる。箱形部材６０と平板部材７０でフランジ５５を挟み込み、ボルト７５とナット７６で固定することで、箱形部材６０と平板部材７０とが、取付面５０に固定される。
【００１５】
平板部材７０は、孔７８と、係合穴７９を備える。孔７８は、中央の開口を左右から挟む位置に設けられ、鉛直方向に細長い形状を有している。係合穴７９は、取付面５０と反対側に突き出ており、鉛直上方から下方に向けてトンネル状の穴が開いている。取付部材１０は、孔７８に対応する位置に係合カギ１８を有し、係合穴７９に対応する位置に係合部１９を備える。取付部材１０は、係合カギ１８が孔７８に挿入可能な位置で、取付面５０方向に押される。このとき、係合穴７９の鉛直上方の入口に、係合部１９が位置する。その後、鉛直下方に移動されることで、係合カギ１８と孔７８とが係合するとともに、係合部１９が、係合穴７９に挿入され、係合部１９と係合穴７９も係合する。こうして取付部材１０は、平板部材７０に取り付けられ、固定される。この後、取付部材１０と取付面５０との境界にシーリング４０（図１）が設置される。図２では、シーリング４０の図示を省略している。
【００１６】
本体２０は、機能部品としてＲＦ−ＩＤなどを内蔵したカードを読み取るカードリーダなどの認証装置３０を内蔵している。認証装置３０は、カードリーダの他、生体認証装置や、セキュリティ番号入力装置であってもよい。本体２０が取付部材１０に取り付けられたとき、認証装置３０は、取付面５０の凹部５２の中の箱形部材６０の内部に挿入される。本体２０が取付部材１０の取り付けられた後、本体２０と、取付部材１０は、鉛直下方からネジ８０などの固定部材により固定される。なお、本体２０と、取付部材１０は、１個のネジ８０で固定可能である。
【００１７】
図３は、本体２０が取付部材１０に取り付けられたときの外部端末装置１００の断面を模式的に示した図である。図３からわかるように、係合カギ１８が孔７８に係合し、係合部１９が、係合穴７９に挿入されている。本体２０と、取付部材１０は、鉛直下方からネジ８０により固定されている。
【００１８】
次に、外部端末装置１００の鉛直方向の上部における本体２０と取付部材１０の係合構造について説明する。図４は、図３の領域Ｘにおける本体２０の取付部材１０への取り付けを示す説明図である。図５は、本体２０を取付部材１０に取り付けた状態を示す説明図である。本体２０は、凹部２３と、規制部材２５を備える。凹部２３は、本体２０の外周を為す外周面２１のうちの鉛直上方と左右方向おいて、外周面２１に沿って、本体２０内部側に連続して形成されている。凹部２３の本体２０内部側には、取付面５０方向に突き出る凸部２２が設けられている。すなわち、凹部２３は、外周面２１と、凸部２２により挟まれた領域であり、取付面５０方向に開口している。
【００１９】
凹部２３には、パッキン２４が配置される。パッキン２４は、取付部材１０と本体２０との間に介装される部材である。凸部２２は、パッキン２４がズレないように位置決めする機能を有している。パッキン２４は、例えば、ウレタンなどの樹脂で形成されている。パッキン２４は、別部品として細長い部材として形成され、凹部２３に配置されても良く、また、凹部２３に材料を充填することで、直接、凹部２３にパッキン２４を形成しても良い。パッキン２４は、ウレタンなどの樹脂の他、ゴムなどの弾性変形可能な材料で形成されていてもよい。なお、パッキン２４は、接着剤で凹部２３に接着されていても良い。
【００２０】
規制部材２５は、凹部２３のうち本体２０の鉛直上方における凹部２３の開口を狭くし、後述する取付部材１０の凸部１１が進入するときのクリアランスを規定する。なお、規制部材２５は、凹部２３のうち本体２０の左右方向の凹部２３には、設けられていない。
【００２１】
取付部材１０は、凸部１１と、係合部材１２と、ヒサシ部１３を備える。ヒサシ部１３は、取付部材１０の外周の鉛直方向の上と左右に連続的に形成され、本体２０を外側から覆っている。
【００２２】
凸部１１は、ヒサシ部１３の内側において、ヒサシ部１３との間に本体２０の外周面２１が挿入可能な隙間を空けて、ヒサシ部１３と略平行に設けられており、取付面５０側から取付面５０と反対側に向けて突き出ている。すなわち、凸部１１は、取付部材の鉛直方向の上と左右に設けられている。
【００２３】
係合部材１２は、凸部１１のうち、取付部材１０の鉛直上方の凸部において、凸部１１から、規制部材２５と係合するように、ヒサシ部１３と反対方向に向けて突き出ている構造を有している。なお、係合部材１２は、取付部材１０の左右の凸部１１においては、設けられていない。
【００２４】
本体２０が取付部材１０に取り付けられると、凸部１１がパッキン２４を押圧して、弾性変形させ、シールを実現する。係合部材１２と規制部材２５とは、この状態で係合し、凸部１１がパッキン２４から離間しないように保持する。
【００２５】
本実施形態では、規制部材２５は、凹部２３のうち本体２０の左右方向の凹部２３には、設けられておらず、係合部材１２は、取付部材１０の左右の凸部１１においては、設けられていない構造とした。但し、規制部材２５と、係合部材１２のうち、一方については、左右方向に設けられていても良い。左右方向のいずれか一方に規制部材２５を設けると、本体２０の左右方向の位置決めを容易にできる。
【００２６】
図４において、取付部材１０は、取付面５０に固定されているとして、以下説明する。先ず、本体２０を取付部材１０側が少し下がるように斜めに傾ける。その状態で、取付部材１０の凸部１１が本体２０の外周面２１と規制部材２５との間に侵入するように本体２０を取付部材１０の方に移動させる。これにより、凸部１１は、パッキン２４に押圧される。このとき、係合部材１２と規制部材２５とはズレており、互いに干渉しない。規制部材２５が係合部材１２を越えるまで本体２０を取付部材１０の方に移動させた後、本体２０の下部を取付部材１０の方向に移動するように回転させる。図４では、回転の向きは、反時計回りである。この回転により、係合部材１２と規制部材２５とが係合する（図５参照）。最後に、図２及び図３で示したように、本体２０と取付部材１０とを鉛直下方からネジ８０により固定する。ネジ８０の数は、例えば、１個であってもよい。本体２０と取付部材１０の上方は、係合部材１２と規制部材２５とが係合されているので、下方のネジ８０は、その係合が維持できる程度に固定できればよいからである。なお、ネジ８０を取り外せば、逆の手順で本体２０を取付部材１０から容易に取り外すことができる。
【００２７】
以上、本実施形態によれば、本体２０は、パッキン２４を収納する凹部２３を有し、取付部材１０は、パッキン２４を押圧する凸部１１を有し、本体２０は、凸部１１が侵入するときのクリアランスを規定する規制部材２５を有し、凸部１１がパッキン２４を押圧して弾性変形させた状態で、本体２０と取付部材１０とを係合する係合部材１２を備える。その結果、以下の作用効果を奏する。
【００２８】
（１）凸部１１がパッキン２４に押圧されることで、シール構造が実現できる。
（２）本体２０の規制部材２５と、取付部材１０の係合部材１２とが係合するので、凸部１１のパッキン２４への押圧を維持できる。
（３）雨水は、上から下に流れる。凸部１１とパッキン２４とからなるシール構造は、外部端末装置１００の上方および左右をシールするので、雨水の浸入を抑制できる。
（４）外部端末装置１００の鉛直下方に設けられた１個のネジ８０を取り外すことで、規制部材２５と係合部材１２との係合を容易に外せ、取付部材１０から本体２０を容易に取り外せる。その結果、メンテナンス性を向上できる。
（５）外周面２１が、リブとして機能するので、本体２０の撓みや反りを防ぎ、凸部１１のパッキン２４への押圧力が発散することを抑制できる。
（６）凹部２３は、本体２０に設けられ、凸部１１は、取付部材１０に設けられている。こうすれば、凹部２３の開口は、取付面５０の方を向いているので、凹部２３に水が浸入しにくい。
（７）ヒサシ部１３を備えるので、本体２０を取付部材に取り付けるときに、ヒサシ部１３が、外周面２１のガイドとなる。その結果、本体２０と取付部材１０との位置決めが容易となり、取り付けやすさを向上できる。
（８）ヒサシ部１３の内側に本体２０が収納されるため、コーキング４０がされていない部分のかさ上げが不要であり、薄型化が可能となる。その結果、取付面５０からの高さを低くできる。
【００２９】
ヒサシ部１３は、省略可能である。図６は、他の実施形態における本体２０と取付部材１０の係合構造を示す説明図である。図４に示した実施形態と比較すると、この実施形態では、ヒサシ部１３が省略されている。ヒサシ部１３が無くても、上記作用効果のうち（１）〜（６）の作用効果を奏する。
【００３０】
図７は、他の実施形態における本体２０と取付部材１０の係合構造を示す説明図である。この実施形態では、規制部材２５が外周面２１の内側に設けられており、係合部材１２が、凸部１１から外周面２１の方向に突き出ている。このように構成しても、上記作用効果のうち（１）〜（８）の作用効果を奏する。
【００３１】
上記各実施形態では、本体２０に凹部２３を設け、凹部２３にパッキン２４を配置し、取付部材１０の凸部１１を設け、凸部１１でパッキン２４を押圧する構成であったが、逆に、取付部材１０に凹部を設け、凹部にパッキンを配置し、パッキン２４を、本体２０に設けた凸部で押圧する構成であってもよい。このように構成すると、上記作用効果のうち、少なくとも（１）〜（５）の作用効果を奏する。このように、本体２０と取付部材１０は、そのうちの一方の部材が凹部とパッキン２４を備え、他方の部材がパッキン２４に押圧される凸部を備える構成であればよい。なお、取付部材１０が凹部を備え、本体２０が凸部を備える場合、例えば、本体２０の外周面２１を凸部として利用しても良い。
【００３２】
上記各実施形態において、係合部材１２と、規制部材２５の形状においては、特に限定はないが、係合部材１２と規制部材２５の係合時に接触する面と反対側の面については、例えば、図７に示すように、先細りとなる斜面としてもよい。このように形成すれば、係合部材１２と規制部材２５とを滑らかに係合させることができる。
【００３３】
上記形態において、本体２０と取付部材１０とは、ネジ８０などの固定部材により固定しているが、ネジ８０の代わりに、錠やクランプを用いる構成であってもよい。
【００３４】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３５】
１０…取付部材
１１…凸部
１２…係合部材
１３…ヒサシ部
１８…係合カギ
１９…係合部
２０…本体
２１…外周面
２２…凸部
２３…凹部
２４…パッキン
２５…規制部材
３０…認証装置
４０…シーリング（コーキング）
５０…取付面
５２…凹部
５５…フランジ
６０…箱形部材
７０…平板部材
７５…ボルト
７６…ナット
７８…孔
７９…係合穴
８０…ネジ
１００…外部端末装置
Ｘ…領域
【図１】
2019134004.tif 000003
【図２】
2019134004.tif 000004
【図３】
2019134004.tif 000005
【図４】
2019134004.tif 000006
【図５】
2019134004.tif 000007
【図６】
2019134004.tif 000008
【図７】
2019134004.tif 000009